(57)【要約】【課題】電子機器の傾きが生じてもディスクメディアからの読み取りエラーの発生を低減することを可能とする。【解決手段】  ピックアップモジュール１のヘッド部にはチルトセンサ２が設けられており、メディア４とピックアップモジュール１との角度を検出する。そして角度が９０度を維持するよう傾斜機構６が駆動される。光ディスク装置１００はさらに２つの傾きセンサ３ａ、３ｂが設けられている。傾きセンサ３ａ、３ｂで検出した傾きズレ値として算出とチルトセンサ２により検出された直交ズレ値とに基づいて、補正角度演算部９が補正値を算出し傾斜機構６が動作して傾き補正される。  【選択図】  図１
2008251136.tif 000002
【特許請求の範囲】
【請求項１】
光ディスクメディアに対してデータの記録再生を行うピックアップモジュールと、
トレイ上に設けられピックアップモジュールを支持すると共に、ピックアップモジュー
ルを傾斜させる傾斜機構と、
ピックアップモジュールに設けられメディアとピックアップモジュールとの角度を検出
するチルトセンサと、
ピックアップモジュールおよびトレイに設けられ、ピックアップモジュールとトレイと
の傾きを検出する一対の傾きセンサと、
前記チルトセンサ及び傾きセンサによって検出された検出値に基づいて、前記傾斜機構
を傾斜させるための補正値を演算する補正角度演算部とを具備したことを特徴とする光デ
ィスク装置。
【請求項２】
前記補正角度演算部は、前記チルトセンサ及び傾きセンサにより検出された検出値と前
記光メディアの回転数データとに基づいて補正値を演算することを特徴とする請求項１記
載の光ディスク装置。
【発明の詳細な説明】
【技術分野】
【０００１】
本発明は傾きセンサを備えた電子機器に関し、特に傾きによる光ディスクの読み書きエ
ラーを防止する構造を有する光ディスク装置および光ディスク装置を具備した電子機器に
関するものである。
【背景技術】
【０００２】
ノートパソコン等にはＤＶＤドライブなどの光ディスク装置が搭載されているが、ノー
トパソコンのように携帯可能な電子機器の場合、携帯中でも光ディスク装置が駆動するこ
とを許容する必要があることから、従来より光ディスク装置には傾きセンサか設けられ駆
動制御を実施している。たとえば光ディスク再生装置のピックアップ装置上に、傾きを検
出するチルトセンサを設けて、ディスクの回転数に同期してチルトセンサ出力を記憶し液
晶パネルの応答遅れ量を考慮したチルトサーボを行うチルトサーボシステムがある。
【０００３】
また光ディスクドライブのピックアップ装置上に傾斜検出センサを設け、その出力結果
により傾きを調整するものが開示されている。
【特許文献１】特開平１０−１７２１６３号公報（第１図）
【特許文献２】特開２００１−２９１２５７号公報（第１図）
【発明の開示】
【発明が解決しようとする課題】
【０００４】
しかし上述したような従来技術はチルトセンサや傾きセンサが１ヶ所にしか設けられて
ないため、光ディスクドライブに急に傾きを加えた場合、メディアとピックアップ間に大
きなズレが発生していまい、読み取りエラーが発生しやすい。
【０００５】
そこで、本発明は上述した課題を解決するために、電子機器の傾きが生じても光ディスク
装置でのディスクメディアからの読み取りエラーの発生を低減することを可能とした光デ
ィスク装置を提供することを目的とするものである。
【課題を解決するための手段】
【０００６】
本発明は上述したような課題を解決するため、光ディスクに対してデータの記録再生を行
うピックアップモジュールと、トレイ上に設けられピックアップモジュールを支持すると
共に、ピックアップモジュールを傾斜させる傾斜機構と、ピックアップモジュールに設け
られメディアとピックアップモジュールとの角度を検出するチルトセンサと、ピックアッ
プモジュールおよびトレイに設けられ、ピックアップモジュールとトレイとの傾きを検出
する一対の傾きセンサと、前記チルトセンサ及び傾きセンサによって検出された検出値に
基づいて、前記傾斜機構を傾斜させるための補正値を演算する補正角度演算部とを具備し
たものである。
【０００７】
また本発明は上述した課題を解決するため    前記補正角度演算部は、前記チルトセン
サ及び傾きセンサにより検出された検出値と前記光メディアの回転数データとに基づいて
補正値を演算するものである。
【発明の効果】
【０００８】
ディスクメディアとピックアップモジュールが常に垂直に保たれるため、装置本体を急
激に傾けた場合でもディスクメディアからの読み書き時のエラーを防止することができる
。
【発明を実施するための最良の形態】
【０００９】
以下、本発明における実施形態について図面を用いて説明する。
【００１０】
図１は本発明の一実施形態を示す電子機器である光ディスク装置の構成図である。
【００１１】
本実施形態の光ディスク装置１００は、データが記録される記録媒体である光ディスクと
してのメディア４が着脱可能に挿入可能である。ピックアップモジュール１は、光ディス
ク装置１００本体内に装着されたメディア４にデータを記録または記録されたデータを再
生するためにキャリッジの先端に記録再生ヘッドが配置されており、この記録再生ヘッド
からレーザ光をメディア４に投射する素子を具備している。ピックアップモジュール１の
キャリッジ部は傾斜機構６により支持されている。この傾斜機構６はピックアップモジュ
ール１を傾けることができ、後述する傾きセンサーで検出された傾きに応じてピックアッ
プモジュール１を傾けるよう駆動するものである。
【００１２】
ピックアップモジュール１のヘッド部にはチルトセンサ２が設けられており、メディア
４とピックアップモジュール１との角度を検出する。そして角度が９０度を維持するよう
傾斜機構６が駆動される。光ディスク装置１００はさらに２つの傾きセンサ３ａ、３ｂが
設けられている。第１の傾きセンサ３ａはピックアップモジュール１に配置されており、
第２の傾きセンサ３ｂは傾斜機構６が配置されているＯＤＤトレイ５上に設けられている
。これら傾きセンサ３ａ、３ｂは一対として動作することによりピックアップモジュール
１とＯＤＤトレイ５の傾きを検出する。具体的には傾きセンサ３ａ、３ｂで検出した検出
値を傾き情報検出器１２ａ、１２ｂが解釈したデータ値を演算器７にて傾きズレ値として
算出する。一方でチルトセンサ２により検出された検出値は直交ズレ検出部８にて直交ズ
レ値として出力される。これらの傾きズレ検出値と直交ズレ検出値とに基づいて、補正角
度演算部９が補正値を算出し、算出された補正値を受けた補正信号発生値１０が傾斜機構
６の駆動回路１１に対して補正信号を出力する。そして駆動回路１１が駆動することによ
り傾斜機構６が動作して傾き補正されることとなる。
【００１３】
なお、補正角度演算部９は、メディア４の回転数をスピンドルモータの回転数情報検出
部１３から演算要素として追加入力すると、メディアの回転加速度によりメディア４の傾
きのすれに対しても補正することができる。
【００１４】
図２は、光ディスク装置１００の内部で、メディア４及び、ピックアップモジュール１
が傾いた状態での補正状況を説明するための図である。
【００１５】
図２（ａ）乃至（ｃ）に示すように、光ディスク装置１００の内部で、メディアが下に（
ピックアップモジュール側）に傾いた場合でも、上に傾いた場合でも、チルトセンサ２と
傾きセンサ３ａ、３ｂの働きによりピックアップモジュール１とメディア４の角度が９０
度に維持されるよう傾斜機構が駆動する。これにより常にピックアップモジュール１から
補放出されたレーザ光がメディアに垂直方向に照射されることになるため、データの読み
書き時のエラーを防止することができる。また光ディスクドライブに急に傾きを加えた場
合、メディア４とピックアップモジュール１との間にはズレが発生してしまうが、メディ
アの回線数と傾き値によってピックアップモジュールの傾きを補正するため、ピックアッ
プモジュール１は、通常の光ディスク装置よりも早く傾き補正をすることが可能となる。
【００１６】
以上のように本実施形態によれば、メディアとピックアップモジュールが常に垂直に保
たれるため、本実施形態の光ディスク装置、さらには光ディスク装置が内蔵されたノート
型パソコンなどを急激に傾けた場合にもデータの読み書き時のエラーを防止することがで
きるようになる。
【図面の簡単な説明】
【００１７】
【図１】本発明の一実施形態を示す電子機器である光ディスク装置の構成図。
【図２】同実施形態における光ディスク装置内部で、メディアとピックアップモジュールが傾いた状態での補正状況を説明するための図である。
【符号の説明】
【００１８】
１…ピックアップモジュール、２…チルトセンサ、３…傾きセンサ、４…メディア、５…
ＯＤＤトレイ、６…傾斜機構、７…傾きズレ演算器、８…直交ズレ検出部、９…補正角度
演算部、１０…補正信号発生器、１１…駆動回路、１２…傾き情報検出器、１３…スピン
ドル回転数情報検出部。
【図１】
2008251136.tif 000003
【図２】
2008251136.tif 000004